(57)【特許請求の範囲】
【請求項１】
有機性排水をその中に分離膜を設置した活性汚泥を含む好気性処理域に導入して処理し、分離膜から分離水を取り出す工程を有する膜分離式活性汚泥方法による有機性排水の処理法において、有機性排水を酸発酵処理をして有機性排水中の糖分の含有量を減少させて、有機性排水の粘度を低下させ、該粘度が低下した有機性排水を分離膜を設置した活性汚泥反応槽に導入し、活性汚泥反応槽内における活性汚泥を含む水の粘度を１０ｍＰａ・ｓ以下に低下させた条件下で、活性汚泥処理及び膜ろ過による活性汚泥の固液分離を行い、膜分離した処理水を系外に排出することを特徴とする有機性排水の処理法。
【請求項２】
前記活性汚泥反応槽の手前に、前記有機性排水を平均して３〜２４時間滞留させることができる滞留部を設け、該滞留部内において滞留している水の溶存酸素量が、０．１ｍｇ／リットル以下の嫌気状態として酸発酵を行い、酸発酵水を前記活性汚泥反応槽に移流することを特徴とする請求項１に記載の有機性排水の処理法。
【請求項３】
前記活性汚泥反応槽から、一部の活性汚泥混合液を前記排水の滞留部に還流し、酸発酵を促進させることを特徴とする請求項２に記載の有機性排水の処理法。
【請求項４】
有機性排水をその中に分離膜を設置した活性汚泥を含む好気性処理装置に導入して処理し、分離膜から分離水を取り出す有機性排水の処理装置において、有機性排水を導入して酸発酵処理により有機性排水中の糖分の含有量を減少させ、有機性排水の粘度を低下させる酸発酵処理装置と、該酸発酵処理装置から粘度が低下した有機性排水を導入し、槽内における活性汚泥を含む水の粘度を１０ｍＰａ・ｓ以下に低下させた条件下にあり、膜ろ過により処理水を得る、分離膜を設置した活性汚泥反応槽とを有することを特徴とする有機性排水の処理装置。
【請求項５】
有機性排水を平均して３〜２４時間滞留させることができ、内部において滞留している水の溶存酸素量が、０．１ｍｇ／リットル以下の嫌気状態として酸発酵を行う滞留部を一部に有する流量調整槽を設け、該流量調整槽にその滞留部の酸発酵水を前記活性汚泥反応槽に移流する配管を設けたことを特徴とする請求項４に記載の有機性排水の処理装置。
【発明の詳細な説明】
【０００１】
【発明の属する技術分野】
本発明は、工場などから排出される有機性排水を活性汚泥処理設備の活性汚泥反応槽に導入して処理するに当たって、反応槽中の活性汚泥混合液を、前記反応槽中に直接浸漬した分離膜モジュールにより、膜分離して処理水を得る膜分離式活性汚泥方法及び装置に関するものである。
【０００２】
【従来の技術】
従来、膜分離式活性汚泥処理方法による有機性排水の好気性処理は、排水と活性汚泥との混合液の入った槽内に散気装置と直接槽中に浸漬せしめた分離膜モジュールとを備えた活性汚泥反応槽において、散気装置に空気を送り込むことによって、活性汚泥と排水との混合液中に空気を散気して好気的な状態で活性汚泥の生殖を維持し、排水と接触させることで有機物（ＢＯＤ成分）を分解・除去し、さらに、分離膜モジュールにより活性汚泥混合液を固液分離して処理水を得るプロセスからなるものであった。
【０００３】
従来の膜分離式活性汚泥処理方法に用いる典型的な装置を図７に示すと、従来の処理装置は、散気装置８を備えた流量調整槽Ｂと、同様に散気装置８を備えた活性汚泥反応槽Ａの２槽からなり、活性汚泥反応槽Ａ中には、活性汚泥混合液から活性汚泥を固液分離するための膜分離モジュール６（図では２基）を直接槽中に浸漬して配備する構成となっている。
さらに図７により従来の膜分離式活性汚泥処理方法を説明すると以下の通りである。すなわち、図７に示した従来の処理装置では、散気装置８を備えた流量調整槽Ｂ中で原水１（有機性排水を以下「原水」ということがある）を活性汚泥と混合し、散気装置８に曝気ブロア９から空気供給管１１を経て供給された空気によって流量調整槽Ｂ中で好気的生物処理を行い、生物処理水２０を活性汚泥と共に移送ポンプ７を経由して活性汚泥反応槽Ａに移送し、活性汚泥反応槽Ａ内で、そこに設置されている散気装置８に曝気ブロア９から空気供給管１１を経て供給された空気２によって好気的生物処理を行い、活性汚泥反応槽Ａ内に設置されている膜分離モジュール６によって、吸引的にあるいは加圧的にろ過して処理水を得、処理水流出管１３を通して系外に排出し、一方膜分離された活性汚泥の一部は余剰汚泥として活性汚泥引抜ポンプ５を用いて活性汚泥流出管１４を経て系外に排出する。
【０００４】
前記活性汚泥処理装置では、有機性汚泥の混合および反応、有機物の分解・除去、固液分離を前記活性汚泥反応槽のみで行うことができるため、沈殿槽が不要となる。また、原水の沈降分離の必要がなくなり、活性汚泥濃度を１０，０００ｍｇ／リットル程度の高い濃度で運転でき、反応槽の容量を小さくすることができるため、活性汚泥処理装置の設置スペースを削除することができるという利点がある。また、活性汚泥を含む混合液の固液分離に分離膜を使用することによって、前記混合液中の固形分を確実に分離し、浮遊物を含まない良好な処理水を得ることができる。
前記活性汚泥反応槽への排水の流入は、日水量、水質などの負荷変動に対し、手前に流量調整槽を設けて、一旦貯留し、槽内に設置した散気装置により攪拌して負荷を均一にして、前記反応槽に移流する。
しかし、排水中の糖分の含有率が高くなると、それを処理する活性汚泥反応槽内で汚泥を含む液の粘度が１０ｍＰａ・ｓより大の範囲になると上がり、膜モジュールの膜表面に粘度の高い液が付着して、分離膜が目詰まりを起こし、分離膜を透過する水量の低下などが発生し、年に数回の洗浄が必要となった。このため、分離膜の洗浄、水量の監視などの維持管理に時間がかかり、洗浄を繰り返すため、分離膜の破損頻度が増すことになった。
【０００５】
【発明が解決しようとする課題】
膜分離式活性汚泥処理方法の場合、分離膜の目詰まりがなければ、維持管理を行う上で非常に容易な装置となる。このため、本発明は、分離膜の目詰まりを少なくすることで、分離膜の洗浄頻度を少なくし、維持管理の手間を少なくすると共に、分離膜の延命を図り、処理水量を確保するために、ろ過圧の上昇を抑えることを課題とするものである。
【０００６】
【課題を解決するための手段】
本発明の上記課題は、下記（１）から（５）に記載の有機性排水の処理法及び装置によって達せられる。
（１）有機性排水をその中に分離膜を設置した活性汚泥を含む好気性処理域に導入して処理し、分離膜から分離水を取り出す工程を有する膜分離式活性汚泥方法による有機性排水の処理法において、有機性排水を酸発酵処理をして有機性排水中の糖分の含有量を減少させて、有機性排水の粘度を低下させ、該粘度が低下した有機性排水を分離膜を設置した活性汚泥反応槽に導入し、活性汚泥反応槽内における活性汚泥を含む水の粘度を１０ｍＰａ・ｓ以下に低下させた条件下で、活性汚泥処理及び膜ろ過による活性汚泥の固液分離を行い、膜分離した処理水を系外に排出することを特徴とする有機性排水の処理法。
（２）前記活性汚泥反応槽の手前に、前記有機性排水を平均して３〜２４時間滞留させることができる滞留部を設け、該滞留部内において滞留している水の溶存酸素量が、０．１ｍｇ／リットル以下の嫌気状態として酸発酵を行い、酸発酵水を前記活性汚泥反応槽に移流することを特徴とする前記（１）項に記載の有機性排水の処理法。
（３）前記活性汚泥反応槽から、一部の活性汚泥混合液を前記排水の滞留部に還流し、酸発酵を促進させることを特徴とする前記（２）項に記載の有機性排水の処理法。
（４）有機性排水をその中に分離膜を設置した活性汚泥を含む好気性処理装置に導入して処理し、分離膜から分離水を取り出す有機性排水の処理装置において、有機性排水を導入して酸発酵処理により有機性排水中の糖分の含有量を減少させ、有機性排水の粘度を低下させる酸発酵処理装置と、該酸発酵処理装置から粘度が低下した有機性排水を導入し、槽内における活性汚泥を含む水の粘度を１０ｍＰａ・ｓ以下に低下させた条件下にあり、膜ろ過により処理水を得る、分離膜を設置した活性汚泥反応槽とを有することを特徴とする有機性排水の処理装置。
（５）有機性排水を平均して３〜２４時間滞留させることができ、内部において滞留している水の溶存酸素量が、０．１ｍｇ／リットル以下の嫌気状態として酸発酵を行う滞留部を一部に有する流量調整槽を設け、該流量調整槽にその滞留部の酸発酵水を前記活性汚泥反応槽に移流する配管を設けたことを特徴とする請求項４に記載の有機性排水の処理装置。
なお、前記した粘度の単位「ｍＰａ・ｓ」は「ミリパスカル・秒」のことである。
【０００７】
本発明者等は、実際の施設で検討した結果、有機性排水中に糖の含有量が多いと、活性汚泥反応槽内での糖分の分解に時間を要し、前記反応槽内の活性汚泥中の糖含有量が高いまま維持されて運転することになる。このため、活性汚泥を含む液の粘度が高くなり、処理水を吸引する膜表面には粘性を帯びた液が付着し、膜のろ過圧が上昇することがわかった。また、糖分の分解に時間を要するので、排水中に含まれる他の有機物の処理が不完全になり、膜を透過させて引き抜いた処理水中に、未処理の溶解性ＢＯＤが含まれるため、膜が有機物で汚染され、膜の目詰まりの進行が加速した。
本発明は、この欠点を除去するようにしたものであり、そのためには活性汚泥を含む液の粘度を低下させる手段を用いるもので、その手段として種々の方法があるが、例えば、反応槽流入前に有機性排水の滞留部を設け、原水を嫌気状態で酸醗酵させることで、前記糖類を低級脂肪酸、低分子有機物へある程度分解して、反応槽内の活性汚泥中に含まれる糖含有率を下げて処理するようにすることが好ましい。
【０００８】
滞留部は、前記反応槽とは別個に設置するか、原水槽、流量調整槽あるいは沈殿槽などに滞留部の容積を確保するようにすることができる。滞留部は、攪拌機、攪拌ポンプあるいは移送ポンプの水流を利用するなどして、嫌気的な条件で攪拌する。嫌気的な条件としては、溶存酸素量（ＤＯ）が０．１ｍｇ／リットル以下であることが必要で、好ましくはできるだけ０ｍｇ／リットルに近い値とする。また、排水のｐＨや温度が低い場合や外気温が低い場合、または槽内の溶存酸素量（ＤＯ）が０ｍｇ／リットルに近い値とならない場合は、嫌気槽を保温または加温したり、アルカリ剤を添加することで酸醗酵を促進させる。
また、活性汚泥反応槽の混合液の一部を滞留部に還流することで、滞留部での通性嫌気性菌の濃度を上昇させることができるために、滞留部での酸醗酵を促進することができる。これにより、良好な水質の処理水を得るとともに、分離膜の汚染の進行を緩慢にし、洗浄頻度を少なくし、同時に分離膜の寿命を長くさせる。
【０００９】
【発明の実施の形態】
以下に本発明の活性汚泥処理設備と処理方法について詳しく説明する。
本発明の活性汚泥処理設備は、滞留部の設置の仕方により二種類に大別することができる。すなわち、
１）滞留部は、原水槽、流量調整槽あるいは沈殿槽等とは別に、独立した槽として、個別に設置する。
２）滞留部は、原水槽、流量調整槽あるいは沈殿槽等のいずれかの中に余分の容積を確保し、その余分の容積の部分を（必要により隔壁を設けて、）滞留部とする。
【００１０】
先ず、滞留部を個別に設置する設備について図１〜図３を用いて説明する。
図１には、本発明の膜分離式活性汚泥方法に使用する装置の１例を示す。図１の装置では、原水１（排水ともいう。）を原水供給管１０を通して流量調整槽Ｂに供給し、散気装置８を備えた流量調整槽Ｂ中で活性汚泥と混合する。散気装置８に曝気ブロア９から空気供給管１１を経て供給された空気２によって流量調整槽Ｂ中で原水１を予備的に好気的生物処理し、流量調整槽Ｂと活性汚泥反応槽Ａの間に酸発酵槽Ｃを設け、流量調整槽Ｂから移送ポンプ７により生物処理水２０（活性汚泥を含む混合液である。）の一定流量を酸発酵槽Ｃに移送する。酸発酵槽Ｃ中では、攪拌機１５により生物処理水２０を所定時間嫌気的に発酵させて生物処理水２０中の有機物、特に糖を分解・除去し、粘度が低下した酸発酵処理水１９を酸発酵槽Ｃから活性汚泥反応槽Ａにオーバーフローにより移送する。酸発酵処理水１９は反応槽Ａ中で散気装置８からの空気２による曝気により、好気的な状態で有機物を分解・除去する。一定時間好気的に処理された生物処理水は吸引あるいは加圧により分離膜（膜モジュール６）を通して固液分離し、処理水３を系外に取り出す。また、反応槽Ａ中の余剰汚泥は適時に汚泥引抜ポンプ５により系外に取り出す。
【００１１】
図２には、本発明の膜分離式活性汚泥方法に使用する装置の他の１例を示す。
図２に示す膜分離式活性汚泥処理設備では、前記図１に示した処理設備との比較において、流量調整槽Ｂ、酸発酵槽Ｃ（滞留部）および活性汚泥反応槽Ａの配置は同じであるが、図２の設備では、活性汚泥反応槽Ａ内の余剰活性汚泥の一部を汚泥循環管１６を経由して酸発酵槽Ｃに還流させている。活性汚泥反応槽Ａにおける余剰活性汚泥の一部を酸発酵槽Ｃに還流させることで、酸発酵槽Ｃでの通性嫌気性菌の濃度が上昇するため、酸発酵槽Ｃでの酸発酵が促進される。
本発明の膜分離式活性汚泥処理設備のさらに別の例について説明する。
図３に示す膜分離式活性汚泥処理設備では、前記図１に示した処理設備との比較において、流量調整槽Ｂ、酸発酵槽Ｃ（滞留部）および活性汚泥反応槽Ａの配置は同じであるが、図３の設備では、酸発酵槽Ｃ内の混合液（これは活性汚泥をある程度含有している）の一部を汚泥循環管２２を通して循環させることによって通性嫌気性菌の濃度を均一に保ち、酸発酵の作用を均一かつ効率的にする。
【００１２】
次に、本発明の膜分離式活性汚泥処理設備において、滞留部を独立した槽として個別に設置せず、原水槽、流量調整槽あるいは沈殿槽等のいずれかの槽の中に余分の容積を確保し、その余分の容積の部分を滞留部とする場合について以下に３例を挙げ、図４〜図６を用いて説明する。ただしこの場合も以下に示す活性汚泥処理設備に限定されるものではない。
先ず、図４に示す膜分離式活性汚泥処理設備では、図７に示した従来の膜分離式活性汚泥処理設備において、流量調整槽Ｂに余分の容積を確保し、槽Ｂの下部に仕切りを設けて流量調整槽Ｂを上部Ｂ１部と下部Ｂ２部に区分けし、上部Ｂ１部（流量調整部ともいう。）には散気装置は設けず、単に流量を調整する部分とし、Ｂ２部（滞留部ともいう。）は滞留部とし、その部分に攪拌機１５を設置し、攪拌しながら原水１を所定時間嫌気的に発酵させて原水１中の有機物、特に糖を分解・除去し、粘度が低下した酸発酵処理混合液１９を移送ポンプ７により移送管１２を経由して活性汚泥反応槽Ａに移送する。以降の処理は従来の膜分離式活性汚泥処理と同じ処理である。
【００１３】
図５に示す別の膜分離式活性汚泥処理設備では、前記図４に示した処理設備との比較において、上部Ｂ１部と下部Ｂ２部に区分けした流量調整槽Ｂおよび活性汚泥反応槽Ａの配置は同じであるが、下部Ｂ２部には攪拌機１５を設けず、移送ポンプ７からの移送管は流量調整槽Ｂに上部で分岐させ、分岐管の一方は活性汚泥反応槽Ａに酸発酵処理混合液１９を移送する管とし、他方はＢ１部に酸発酵処理混合液１９を還流する還流管とし、混合液１９を還流することでＢ２部（滞留部）における酸発酵処理混合液１９の攪拌を行い、酸発酵処理を効率的にする。
図６に示す今一つ別の膜分離式活性汚泥処理設備では、前記図５に示した処理設備との比較において、上部Ｂ１部と下部Ｂ２部に区分けした流量調整槽Ｂおよび活性汚泥反応槽Ａの配置及び酸発酵処理混合液１９を還流させることは同じであるが、流量調整槽Ｂにおける酸発酵処理混合液１９の還流を、移送ポンプ７とは別に下部Ｂ２部に設置した攪拌ポンプ１８により行うようにしたものである。
【００１４】
（作用）
滞留部は、反応槽手前に設け、流入する排水（原水）の滞留時間が３〜２４時間となる容量とする。滞留部を原水槽または流量調整槽を利用して設ける場合は、そのもの本来の目的を機能させるために必要な容量以外に滞留分の容量を増加させる。滞留部での処理負荷を均一にするため、攪拌機または攪拌ポンプを設置したり、滞留部への流入用あるいは流出用のポンプの水流を利用して嫌気的に攪拌する。
滞留部にて行われる酸発酵処理により、排水中に含まれる還元糖（グルコース換算）は減少し、代わりに酢酸、乳酸などの有機酸が増加する。この滞留部での処理により、排水中に含まれる還元糖を２０〜４０％に減少させることで、活性汚泥反応槽内の活性汚泥中に含まれる糖含有率を減少させ、ＭＬＳＳが８，０００〜１０，０００ｍｇ／リットル、粘度を１０ｍＰａ・ｓ以下にすることができる。反応槽内の活性汚泥混合液の粘度が下がることにより、分離膜の透過圧が下がる。また、活性汚泥がＢＯＤの分解を容易に行えるようになるため、処理時間がかからず、未処理のまま溶解性ＢＯＤが分離膜を透過する量が減少する。このため、有機物による膜の汚染の進行を極めて緩慢にすることができる。
また、滞留部での酸醗酵促進のために、活性汚泥反応槽から混合液の一部を移送し、滞留部内のＭＬＳＳを１，０００ｍｇ／リットル程度に維持することで、還元糖は３０〜８０％の分解率に減少させる。
【００１５】
【実施例】
以下、実施例により本発明を具体的に説明するが、本発明はこの実施例のみに限定されるものではない。
実施例１
活性汚泥反応槽手前にある流量調整槽の下部に２．８ｍ３  の容量の滞留部を設けた。槽内の攪拌は、活性汚泥反応槽に移送するポンプの水流の一部を利用して行った。
活性汚泥反応槽は、２０ｍ３  の容量で、槽内の活性汚泥の混合液を、散気装置より酸素含有空気を、酸素要求量（ＤＯ）が少なくとも１ｍｇ／リットルになるように散気することで、流量調整槽から移流してくる排水の好気的処理を行っている。
分離膜モジュールは活性汚泥反応槽に浸漬設置しており、分離膜（中空糸膜）モジュール（４ｍ２  ／本）を３８本配置してある。処理水はこの分離膜モジュールに取り付けた配管の先にあるポンプにて吸引して得る。
この活性汚泥反応槽を用いて、水量２０ｍ３  ／日、ＢＯＤ  １，５００ｍｇ／リットル、ＳＳ  ７００ｍｇ／リットルの有機性排水を、活性汚泥反応槽のＭＬＳＳ  ８，０００ｍｇ／リットルとして処理を行った。
【００１６】
排水は、いったん流量調整槽に貯留され、槽内には嫌気滞留部が用意されており、ここで排水中に含まれる糖分を低分子有機酸にある程度分解することで、酸醗酵を行う前の粘度が１０ｍＰａ・ｓであったものを５．１ｍＰａ・ｓにまで下げた。
また、分離膜は１年間汚染されずに、吸引圧力０．０５〜０．３５ｋｇｆ／ｃｍ２  で処理水が得られた。処理水のＢＯＤは５ｍｇ／リットル以下であった。
糖分を含む排水を、流量調整槽に嫌気滞留部を設けず、散気攪拌を行っている場合の排水を反応槽に移流し運転を行った場合、分離膜の濾過圧は約１ヶ月間経過した時点で、０．５ｋｇｆ／ｃｍ２  を越え、分離膜の洗浄が必要になった。これに対して、流量調整槽に仕切りを入れ、滞留部を設け、その部分を嫌気状態にして酸発酵処理を行ったた場合は、約１年間経過した場合でも洗浄の必要がなく、分離膜の濾過圧は０．３５ｋｇｆ／ｃｍ２  以下であり、酸発酵を取り入れることで、分離膜の粘性を持った液の付着による閉塞をなくし、分離の汚染の進行を緩慢にして洗浄頻度を減らし、良好な処理水を得ることができた。
【００１７】
【表１】
0003608690.tif 000002
【００１８】
【発明の効果】
本発明の膜分離式活性汚泥法による有機性排水の処理法により次のような効果が得られた。
（１）有機性汚泥の混合および反応、有機物の分解・除去、固液分離を活性汚泥反応槽のみで行うことができるため、沈殿槽が不要となる。
（２）活性汚泥濃度を１０，０００ｍｇ／リットル程度の高い濃度で運転でき、活性汚泥反応槽の容量を小さくすることができる。
（３）滞留部を設け、そこで嫌気的に酸発酵を行うことで、排水中の糖分を分解することで、活性汚泥混合液に粘度を下げ、粘性液の膜付着による分離膜の閉塞を防ぐことができる。
（４）活性汚泥反応槽の手前で糖分を分解することで、反応槽でのＢＯＤの分解を容易に行うことができ、未処理のままでＢＯＤ成分が膜分離にかけられることがなくなる。
（５）粘性液の膜付着による分離膜の閉塞や未処理のＢＯＤ成分による分離膜の目詰まりがなくなり、分離膜の洗浄頻度が少なくなり、膜分離式活性汚泥処理における維持管理が非常に容易となる。
（６）分離膜の寿命も長くなる。
（７）膜透過水（処理水）の水質が良好な状態で安定する。
【図面の簡単な説明】
【図１】本発明の膜分離式活性汚泥方法の滞留部として、個別に酸発酵槽を設けた装置の１例を示す説明図である。
【図２】本発明の膜分離式活性汚泥方法の滞留部として、個別に酸発酵槽を設けた装置の別の１例を示す説明図である。
【図３】本発明の膜分離式活性汚泥方法の滞留部として、個別に酸発酵槽を設けた装置のさらに別の１例を示す説明図である。
【図４】本発明の膜分離式活性汚泥方法の流量調整槽の下部に滞留部（酸発酵部）を設けた装置の１例を示す説明図である。
【図５】本発明の膜分離式活性汚泥方法の流量調整槽の下部に滞留部（酸発酵部）を設けた装置の別の１例を示す説明図である。
【図６】本発明の膜分離式活性汚泥方法の流量調整槽の下部に滞留部（酸発酵部）を設けた装置のさらに別の１例を示す説明図である。
【図７】従来の膜分離式活性汚泥方法の典型例を示す説明図である。
【符号の説明】
１    原水
２    空気
３    処理水
４    余剰汚泥
５    汚泥引抜ポンプ
６    分離膜モジュール
７    移送ポンプ
８    散気装置
９    曝気ブロア
１０  原水供給管
１１  空気供給管
１２  移送管
１３  処理水流出管
１４  汚泥流出管
１５  攪拌機
１６  汚泥還流管
１７  移送管
１８  攪拌ポンプ
１９  酸発酵処理水
２０  生物処理水
２１  移送・攪拌ポンプ
２２  汚泥循環管
Ａ    活性汚泥反応槽
Ｂ    流量調整槽
Ｂ１  上部（流量調整部）
Ｂ２  下部（滞留部）
Ｃ    酸発酵槽
【図１】
0003608690.tif 000003
【図２】
0003608690.tif 000004
【図３】
0003608690.tif 000005
【図４】
0003608690.tif 000006
【図５】
0003608690.tif 000007
【図６】
0003608690.tif 000008
【図７】
0003608690.tif 000009